(57)【特許請求の範囲】
【請求項１】
一足をなす二つの履物の各々の上部の外周部分の全周に、それらの履物をインソールが互いに向き合う向きで組み合わせたときに互いに密に嵌合する嵌合部を設けたことを特徴とする組み合わせ密閉式履物。
【請求項２】
前記嵌合部は、前記二つの履物を甲が互い違いになる向きで組み合わせたときに互いに密に嵌合するものであることを特徴とする、請求項１記載の組み合わせ密閉式履物。
【請求項３】
前記嵌合部は甲を囲む部分がインソールを囲む部分より高くなっていることを特徴とする、請求項２記載の組み合わせ密閉式履物。
【請求項４】
前記履物はサンダルであることを特徴とする、請求項１から３までのいずれか記載の組み合わせ密閉式履物。
【発明の詳細な説明】
【発明の詳細な説明】
【技術分野】
【０００１】  この発明は、一対の履物を組み合わせたとき、インナー部分が密閉される構造を持つ履物に関するものである。
【背景技術】
【０００２】  従来の履物は使用後、インソール部分は上向きに露出した状態で放置されていた。
【発明が解決しようとする課題】
【０００３】  ベランダ等の外置き用履物は使用後に、わざわざ収納されることは少なく、裏返して斜めに壁等に立て掛けたり、殆どの場合脱いだままの状態で放置されされている。それにより次のような問題点があった。
（イ）  インソール部分（２）に土埃や煤塵等の汚染物質が付着し、履く度に足の裏が汚れた。
（ロ）  インソール部分に飛来した杉花粉等が足の裏に付着した。
（ハ）  降雨時には、インソール部分に埃や煤塵による汚濁した雨水が溜まり、使用時に足の裏が濡れて不快な思いをした。
（ニ）  裏返して斜めに立て掛けた場合も、雨滴の跳ね返りでインソール部分が濡れたり汚れたりした。
（ホ）  上記のような履物を使用した後の入室時には、床や室内履きスリッパのインソール部分が汚れたり、濡れたりと極めて不衛生であった。
（ヘ）  以上のことから、室内に汚れや花粉等を持ち込まぬためには、タオルや濡れ雑巾等を用意し、足の裏を拭くなどの煩わしい作業が不可欠であった。
本発明は、その問題点をなくすために、屋外に放置されてもインソール部分が汚れたり、濡れることのない衛生的な履物をつくることを課題として発明されたものである。
【課題を解決するための手段】
【０００４】  一足をなす二つの履物の各々の上部の外周部分の全周にそれらの履物をインソールが互いに向き合う向きで組み合わせたときに互いに密に嵌合する嵌合部を設ける。
本発明は、以上の構成よりなる組み合わせ密閉式履物である。
【発明を実施するための最良の形態】
【０００５】  以下、本発明の実施の形態について説明する。
（イ）一足の履物をインソールが互いに向き合う向きで組み合わせたときに隙間なく組み合う嵌合部となる縁（１）を各々の上部外周部分に設ける。
（ロ）嵌合部となる縁は履物を組み合わせたときの形状の中心点に対し対称な嵌合部を外周部分の全周に構成する形状とし、図４のように嵌合部となる縁を、甲を囲む部分を高くインソールの踵を囲む部分を低くする形状を設ける。
（ハ）履物の甲部分（３）を、履物の踵部分（４）の凹型の形状に合わせた凸型の形状を設ける。
本発明は以上の構造によりなっている。
本発明の使用時は、組み合った上部の履物を持ち上げ下部の履物に揃えて使用する。使用後は、履物をインソール（２）が向かい合うように重ね、嵌合部（１）を組み合わせることにより、インナー部分を密閉する。
なお図１９  図２０に示すように、嵌合面の変形例として、上下の履物の嵌合面の断面が、上部履物は凹型、下部履物は凸型の形状にしたり、図２１のような傾斜面や、図２２のように嵌合面を覆うような形状を上部履物に設けることもできる。
また組み合わせたときの外周部の嵌合部を図２４から図２６のような形状にすることもできる。
【発明の効果】
【０００６】  本発明により、履物のインナー部分を外気から遮断し、密閉することに成功した。屋外に置かれた場合、サンダル等の履物のインソール部分は常に清潔な状態が保たれ、使用する度の不快感が解決する。
また、雨水、土埃、煤塵、花粉等を足裏を介して室内に持ち込むこともなくなり、汚れた足の裏を拭く煩わしさから解放される。
構造的には組み合わせたときの形状の中心点に対し、対称な嵌合部を外周部分に構成する形状とすることで、各々のインソールをつま先と踵を互い違いに向き合わせた状態で組み合わせることも可能な嵌合部となり、各々の甲の部分（３）の凸状の膨らみが、互いの踵部分（４）の空間に収納されるため、組み合わせたときの形状がコンパクトになり収納性が向上するだけでなく、組み合わせ作業がよりスムーズになるとともに、組み合わせ時に上下履物の嵌合部が、ずれにくい構造となった。また嵌合部となる縁を、甲を囲む部分を高くインソールの踵を囲む部分を低くする形状にすることで履きやすい形状となった。
さらに組み合わせ時の嵌合面の断面を、図１９から図２２のような形状とすることで、組み合わせ時の気密性と嵌合性が高まり、雨などの侵入を防ぐことに成功した。
また、この組み合わせ密閉式履物の構造は外置き用サンダル、草履、下駄等に限らず、風呂場用の履物としても機能を発揮するものである。
【図面の簡単な説明】
【０００７】
【図１】上下に組み合わせた履物の斜視図
【図２】揃えて並べた履物の斜視図
【図３】揃えて並べた履物の中央縦断面斜視図
【図４】上下に組み合わせた履物の正面図
【図５】上下に組み合わせた履物の平面図
【図６】上下に組み合わせた履物の左側面図
【図７】上下に組み合わせた履物の右側面図
【図８】履物の正面図
【図９】履物の平面図
【図１０】履物の左側面図
【図１１】履物の右側面図
【図１２】履物の底面図
【図１３】Ｂ−Ｂ断面図
【図１４】Ｅ−Ｅ断面図
【図１５】Ａ−Ａ断面図
【図１６】Ｄ−Ｄ断面図
【図１７】Ｃ−Ｃ断面図
【図１８】Ｆ−Ｆ断面図
【図１９】変形嵌合面の拡大断面図
【図２０】変形嵌合面の拡大断面図
【図２１】変形嵌合面の拡大断面図
【図２２】変形嵌合面の拡大断面図
【図２３】組み合わせ時の移動図
【図２４】外周部の嵌合部の変形例（組み合わせ時側面図）
【図２５】外周部の嵌合部の変形例（組み合わせ時側面図）
【図２６】外周部の嵌合部の変形例（組み合わせ時側面図）
【符号の説明】
【０００８】（１）嵌合部となる縁
（２）履物のインソール
（３）履物の甲となる凸状部分
（４）履物の踵の凹状部分
【図１】
0004604210.tif 000002
【図２】
0004604210.tif 000003
【図３】
0004604210.tif 000004
【図４】
0004604210.tif 000005
【図５】
0004604210.tif 000006
【図６】
0004604210.tif 000007
【図７】
0004604210.tif 000008
【図８】
0004604210.tif 000009
【図９】
0004604210.tif 000010
【図１０】
0004604210.tif 000011
【図１１】
0004604210.tif 000012
【図１２】
0004604210.tif 000013
【図１３】
0004604210.tif 000014
【図１４】
0004604210.tif 000015
【図１５】
0004604210.tif 000016
【図１６】
0004604210.tif 000017
【図１７】
0004604210.tif 000018
【図１８】
0004604210.tif 000019
【図１９】
0004604210.tif 000020
【図２０】
0004604210.tif 000021
【図２１】
0004604210.tif 000022
【図２２】
0004604210.tif 000023
【図２３】
0004604210.tif 000024
【図２４】
0004604210.tif 000025
【図２５】
0004604210.tif 000026
【図２６】
0004604210.tif 000027